(57)【要約】【課題】空気調和機の機種に応じたデータ領域の使用を行うことができる空気調和機を提供すること。【解決手段】本発明の空気調和機は、機種の選択が可能な電子制御装置を搭載した空気調和機であって、電子制御装置のＲＯＭコレクション領域のチャネルが複数チャネルで構成され、複数チャネルのそれぞれに対してＲＯＭコレクション領域として有効／無効を設定することができ、選択した機種に応じて複数チャネルがＲＯＭコレクション領域として有効か無効か設定可能に構成された。【選択図】図１
2012243174.tif 000002
【特許請求の範囲】
【請求項１】
機種の選択が可能な電子制御装置を搭載した空気調和機であって、前記電子制御装置のＲＯＭコレクション領域のチャネルが複数チャネルで構成され、前記複数チャネルのそれぞれに対してＲＯＭコレクション領域として有効／無効を設定することができ、選択した機種に応じて前記複数チャネルがＲＯＭコレクション領域として有効か無効か設定可能に構成されたことを特徴とする空気調和機。
【発明の詳細な説明】
【技術分野】
【０００１】
本発明は、空気調和機の電子制御装置に関する。
【背景技術】
【０００２】
従来から、空気調和機の一種に除霜運転時に冷媒をバイパスさせて、加熱器により冷媒を暖めて除霜運転を行うものがある（例えば、特許文献１参照）。
【０００３】
一方で、バイパス回路を有さない空気調和機もあり、いずれの空気調和機においても同一の電子制御装置であるため、パイパス回路を有さない空気調和機に搭載の外部不揮発性メモリーの内部においても、バイパス回路を有する空気調和機のデータが存在する。
【０００４】
また、電子制御装置のＲＯＭ部に収納されているプログラムに不具合が発見された場合、電子制御装置を分解することなく補正プログラムを外部不揮発性メモリーに書き込みプログラムの補正を行うＲＯＭコレクション機能を有するものがある（例えば、特許文献２参照）。
【０００５】
図３は、従来の空気調和機に搭載された電子制御装置のＲＯＭデータ領域の構成図である。図３に示すように、空気調和機の制御用データ領域４１と、制御用データ領域内のパイパス回路搭載の空気調和機専用の制御用のデータ領域４２と、ＲＯＭコレクションデータ領域４３で構成されている。
【先行技術文献】
【特許文献】
【０００６】
【特許文献１】特開２００８−１２１９８３号公報
【特許文献２】特開２００９−０４７３４４号公報
【発明の概要】
【発明が解決しようとする課題】
【０００７】
しかしながら、前記従来の構成では、バイパス回路搭載の空気調和機以外の場合は、制御用データ領域４２を使用していないので、無駄にデータ領域を使用しているという課題を有していた。
【０００８】
本発明は、前記従来の課題を解決するもので、空気調和機の機種に応じたデータ領域の使用を行うことができる空気調和機を提供することを目的とする。
【課題を解決するための手段】
【０００９】
前記従来の課題を解決するために、本発明の空気調和機は、機種の選択が可能な電子制御装置を搭載した空気調和機であって、電子制御装置のＲＯＭコレクション領域のチャネルが複数チャネルで構成され、複数チャネルのそれぞれに対してＲＯＭコレクション領域として有効／無効を設定することができ、選択した機種に応じて複数チャネルがＲＯＭコレクション領域として有効か無効か設定可能に構成されたことにより、機種に応じてＲＯＭコレクション領域として有効か無効かを設定することができるので、機種特有のデータがある場合には無効とすることによって誤って書き換えることがなくなり、機種特有のデータがない場合には有効とすることによって、ＲＯＭコレクション領域として有効的に活用することができる。
【発明の効果】
【００１０】
本発明は、空気調和機の機種に応じたデータ領域の使用を行うことができる空気調和機を提供することができる。
【図面の簡単な説明】
【００１１】
【図１】本発明の実施の形態１における空気調和機の回路構成図
【図２】同実施の形態１におけるＥＥＰＲＯＭのデータ領域の構成図
【図３】従来の空気調和機の電子制御装置のＲＯＭデータ領域の構成図
【発明を実施するための形態】
【００１２】
第１の発明の空気調和機は、機種の選択が可能な電子制御装置を搭載した空気調和機であって、電子制御装置のＲＯＭコレクション領域のチャネルが複数チャネルで構成され、複数チャネルのそれぞれに対してＲＯＭコレクション領域として有効／無効を設定することができ、選択した機種に応じて複数チャネルがＲＯＭコレクション領域として有効か無効か設定可能に構成されたことにより、機種に応じてＲＯＭコレクション領域として有効か無効かを設定することができるので、機種特有のデータがある場合には無効とすることによって誤って書き換えることがなくなり、機種特有のデータがない場合には有効とすることによって、ＲＯＭコレクション領域として有効的に活用することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の電子制御装置の構成図を示すものである。また、図２に本発明の実施の形態１におけるＥＥＰＲＯＭのデータ領域の構成図である。
【００１５】
図１において、電子制御装置のメインマイコン３１は、外部不揮発性メモリーであるＥＥＰＲＯＭ３２からホットガスバイパス制御用データやＲＯＭコレクションデータなどを読み出して、電子制御装置を制御している。
【００１６】
以上のように構成された空気調和機について、以下その動作、作用を説明する。なお、本実施の形態において機種選択が、バイパス回路ありの場合と、バイパス回路無しの場合について説明するが、これに限定されるものではなく、３機種、４機種など機種数を限定するものではない。
【００１７】
まず、図３に示すような従来の電子制御装置においては、ホットガスバイパス制御無し時は、ホットガスバイパス用のデータ領域４２をＲＯＭコレクションデータ領域４３として設定することにより、ＲＯＭコレクション用データとして使用可能となり、容量に限度のある外部不揮発性メモリー上のデータ領域の未使用データ領域を削減することとなる。
【００１８】
以上のように、本実施の形態においては電子制御装置のホットガスバイパス除霜制御無し機種の場合、ＥＥＰＲＯＭに定義されている、ホットガスバイパス除霜制御用データ領域をＲＯＭコレクション用データ領域として使用可能となり、メモリー容量に制限のあるＥＥＰＲＯＭデータ領域の未使用データ領域を削減することで、ＥＥＰＲＯＭ部品の容量を増加させることを抑えることが出来、ＥＥＰＲＯＭ部品の容量増加による空気調和機のコスト上昇を抑えることができる。
【００１９】
また、本実施の形態のＥＥＰＲＯＭのホットガスバイパス除霜制御用データだけでなく、同一の電子制御装置で制御有り無しを選択する制御がある場合、同様に制御無し選択時に、未使用の制御用データ領域をＲＯＭコレクションデータ領域とすることにより、特に
、同一電子制御装置で複数機種の制御を切り替える場合、ＲＯＭコレクションデータ領域専用のデータ領域だけでなく、未使用時の制御データ領域をＲＯＭコレクションデータ領域として切り替え可能となり、複数機種で空気調和機の電子制御装置の共用化を進めることができる。
【００２０】
また、図２に示すように、ＲＯＭコレクションチャネル毎有効／無効設定５１は、ＲＯＭコレクションデータ領域とは別のＥＥＰＲＯＭデータ領域に設定されており、ＲＯＭコレクションデータ領域５２の複数チャネルあるＲＯＭコレクションチャネルの内、使用するＲＯＭコレクションチャネルを設定する構成である。
【００２１】
ＲＯＭコレクションチャネル毎有効／無効設定５１で、ＲＯＭコレクション有効としたチャネルは、ＲＯＭコレクションデータ領域として機能可能となる。
【００２２】
一方、ＲＯＭコレクション無効としたチャネルは、ＲＯＭコレクションデータ領域として機能しないため、ホットガスバイパス除霜制御無し選択時、未使用のホットガスバイパス除霜制御用データをＲＯＭコレクションデータ領域として使用可能となる。
【００２３】
ホットガスバイパス除霜制御有り選択時は、ＲＯＭコレクションデータ領域として機能しないため、ホットガスバイパス除霜制御用データがＲＯＭコレクションデータとして誤動作することもない。
【００２４】
以上のように、本実施の形態においては、ＲＯＭコレクションデータ領域のチャネルが複数チャネル設定可能な場合、各チャネルの使用有り無しを選択可能とすることにより、補正プログラムの容量や外部不揮発性メモリー上の空き容量に応じてＲＯＭコレクションのチャネルの設定が可変となり、機種によってはＲＯＭコレクションのチャネル数が増えることで、既にマスク処理されているマイクロコンピュータなどを再度発注せずに済み、費用を削減することができる。
【産業上の利用可能性】
【００２５】
以上のように、本発明にかかる空気調和機は、同一の電子制御装置で複数機種の共用化の実現が可能となるので、ルームエアコンやパッケージエアコンやヒートポンプ式給湯器との電子制御装置共用化等の用途にも適用できる。
【符号の説明】
【００２６】
４２  データ領域
４３  ＲＯＭコレクションデータ領域
【図１】
2012243174.tif 000003
【図２】
2012243174.tif 000004
【図３】
2012243174.tif 000005